(57)【特許請求の範囲】
【請求項１】
側溝用ブロックと、複数のベアリングプレートまたはベアリングバーを所定の隙間をおいて外枠に一体化することにより構成されて、溝蓋または溝蓋部の一部に代えて側溝ブロック上に載置することにより、当該側溝ブロック内に地表水を前記各隙間から導水するようにしたグレーチングと、からなり、
前記側溝ブロックの両側壁のいずれか少なくとも一方に、前記グレーチングの側端部が載置されるべき挿入口を形成するとともに、この挿入口の外側に通水孔を有する側蓋板を設け、
一方、前記グレーチングの長さを、前記挿入口内にも載置し得るものとし、この挿入口側になる部分に、前記側溝ブロックの外側にある地中からの導水を可能にする通水孔を形成し、
当該側溝用ブロックの外側になる地中からの水を、前記側蓋板の前記通水孔から前記グレーチングの側方に設けた通水孔を通して導水を行えるようにしたことを特徴とする地中水排水を行えるようにした側溝ブロック用のグレーチング及びこれが使用される側溝用ブロック。
【請求項２】
側蓋の一部が載置されることになる押え台をグレーチングの下面に一体化したことを特徴とする請求項１に記載の地中水排水を行えるようにした側溝ブロック用のグレーチング及びこれが使用される側溝用ブロック。
【請求項３】
側蓋板の上端に上方切欠を形成して、この上方切欠から側溝ブロックの外側からの導水を行えるようにしたことを特徴とする請求項１又は２に記載の地中水排水を行えるようにした側溝ブロック用のグレーチング及びこれが使用される側溝用ブロック。
【請求項４】
側溝ブロックの側壁内にて挿入口に連続するシュータ面を形成して、このシュータ面により通水孔からの導水を排水溝内に案内するようにしたことを特徴とする請求項１から３のいずれかに記載の地中水排水を行えるようにした側溝ブロック用のグレーチング及びこれが使用される側溝用ブロック。
【請求項５】
複数のベアリングプレートまたはベアリングバーを所定の隙間をおいて外枠に一体化することにより構成されて、溝蓋または溝蓋部の一部に代えて側溝ブロック上に載置することにより、当該側溝ブロック内に地表水を前記各隙間から導水するようにしたグレーチングであって、
このグレーチングの長さを、前記側溝ブロックの両側壁いずれか少なくとも一方の上部を切欠くように形成した挿入口内にも載置し得るものとし、
この挿入口側になる前記外枠の側方部分に、当該挿入口よりも大きく、かつ側溝ブロック側の側壁の外面に当接することになる側蓋板を形成するとともに、この側蓋板に前記側溝ブロックの外側になる地中からの導水を可能にする通水孔を形成したことを特徴とする側溝ブロック用のグレーチング。
【請求項６】
前記側蓋の一部が載置されることになる押え台を下面に一体化したことを特徴とする請求項５に記載の側溝ブロック用のグレーチング。
【請求項７】
前記側蓋板の上端に上方切欠を形成して、この上方切欠から前記側溝ブロックの外側からの導水を行えるようにしたことを特徴とする請求項５または請求項６のいずれかに記載の側溝ブロック用のグレーチング。
【発明の詳細な説明】
【０００１】
【産業上の利用分野】
本発明は、側溝ブロック及びこれに使用されるグレーチングに関し、特に側溝ブロックの外側になる地面（路面）上の水は勿論、この地面中に浸透した水をも側溝ブロック内に導くようにしたグレーチング及びこれが使用される側溝ブロックに関するものである。
【０００２】
【従来の技術】
道路脇等に埋設される側溝ブロック内には、排水溝等を介して雨水等が導かれるが、その他にも、溝蓋の一部をグレーチングに替えることにより、このグレーチングを構成しているベアリングプレートまたはベアリングバー間の隙間から、当該側溝ブロック内の排水溝内に地表水を導くようにすることもなされている。
【０００３】
ところで、近年においては、側溝ブロックの外側になる地表について、枠石や粉砕ガラス等、あるいはこれらに樹脂コーティングしたものを使用して、雨水等が地中に浸み易くなるようにした、所謂透水性舗装５０がなされるようになってきている。この透水性舗装５０によれば、砕石等の間に雨水が流れあるいは溜まる三次元網目構造の隙間が形成されることになるから、この隙間を通して雨水が地中に浸み込み、あるいは溜められる。このため、この透水性舗装５０によれば、地表あるいは路面上に水たまりができにくいものとなる。
【０００４】
しかしながら、このような透水性舗装５０であっても、大雨が短時間内に降ったり、透水性舗装５０下の地中に素早く雨水が浸み込まない場合には、どうしても透水性舗装５０の表面に水溜りができることになる。水溜りができた地表が路面や歩道面であったりすると、人の足元が濡れたり車によって水が跳ね上げられたりすることになる。
【０００５】
また、この透水性舗装５０は、砕石等によって雨水等が通る隙間を形成するようにするものであるから、この隙間が潰れてしまわないような施行が必要であることは勿論、その端に埋め込まれる側溝内に十分な排水が行えるようにしなければならない。そして、地表面を平らにするには、埋められている側溝の側壁上面と透水性舗装５０の表面とが一致するようにしなければならないが、透水性舗装５０中には多数の隙間があるから、長期間この透水性舗装５０を使用したときには、この隙間が押し潰されて透水性舗装５０表面が側溝側壁上面から下がってしまうこともある。このような場合には、図２８にも示すように、側溝ブロック２０の直近に位置する透水性舗装５０に凹み５１が形成されてしまい、この凹み５１内に水が溜まることもある。
【０００６】
換言すれば、透水性舗装５０を形成するにあたって、その近傍に埋設される側溝ブロックについては、次のようなことが要望されるのである。
【０００７】
(1)透水性舗装５０中に浸み込んだ雨水等を、早急に側溝ブロック内に導くようにして、透水性舗装５０表面に水が溜まらないようにすること。
(2)以上のようにするためには、もともと地表水を側溝ブロック内に落下させるためのグレーチングが使用されているのであるから、このグレーチングを利用するようにすること。
(3)このグレーチングは、既設の側溝ブロックに少しの変更を加えるだけで利用できるものであること。
(4)仮に透水性舗装５０表面が下がった場合にも、その地表水の排水が行えるような側溝ブロックまたはグレーチングであること。
【０００８】
そこで、本発明者等は、上記(1)〜(4)の要望を満たすことのできるグレーチングあるいは側溝ブロックとするにはどうしたらよいか、について種々検討を重ねてきた結果、本発明を完成したのである。
【０００９】
【発明が解決しようとする課題】
本発明は、以上の経緯に基づいてなされたもので、その解決しようとする課題は、透水性舗装５０中の雨水、つまり地中水の排出を良行に行うことのできるグレーチング、またはこれが適用される側溝ブロックを提供することにある。
【００１０】
特に、本発明の目的とするところは、地中水の排出を良行に行うことができ、新規な側溝ブロックは勿論のこと、既設の側溝ブロックについても簡単な工事で施行することができるグレーチング１０、及びこれが適用される側溝ブロック２０を簡単な構成によって提供することにある。
【００１１】
【課題を解決するための手段】
以上の課題を解決するために、まず請求項１に係る発明の採った手段は、後述する実施の形態の説明中において使用する符号を付して説明すると、
「側溝用ブロック２０と、複数のベアリングプレートまたはベアリングバー１２を所定の隙間をおいて外枠１１に一体化することにより構成されて、溝蓋３０または溝蓋部３１の一部に代えて側溝ブロック２０上に載置することにより、当該側溝ブロック２０内に地表水４１を前記各隙間から導水するようにしたグレーチング１０と、からなり、
前記側溝ブロック２０の両側壁２０aのいずれか少なくとも一方に、前記グレーチング１０の側端部が載置されるべき挿入口２１を形成するとともに、この挿入口２１の外側に通水孔２２aを有する側蓋板２２を設け、
一方、前記グレーチング１０の長さを、前記挿入口２１内にも載置し得るものとし、この挿入口２１側になる部分に、前記側溝ブロック２０の外側になる地中からの導水を可能にする通水孔１２ａを形成し、
当該側溝用ブロック２０の外側にある地中からの水を、前記側蓋板２２の前記通水孔２２ａから前記グレーチング１０の側方に設けた通水孔１２ａを通して導水を行えるようにしたことを特徴とする地中水排水を行えるようにした側溝ブロック用のグレーチング及びこれが使用される側溝用ブロック。」
である。
【００１２】
すなわち、この請求項１に係る側溝ブロック用のグレーチング及びこれが使用される側溝用ブロックのうち、グレーチング１０は、主として図１に示すように、複数のベアリングプレートまたはベアリングバー１２を隙間を開けて外枠１１に一体化したものであり、この隙間を通して上方から直接地表水４１等を側溝ブロック２０内に導くようにした他、その少なくとも一方の側面に通水孔１２ａを積極的に形成して、この通水孔１２ａを通して側溝ブロック２０の側方からの導水を行えるようにしたものである。
【００１３】
このグレーチング１０は、側溝ブロック２０の両側壁２０ａ上部内側に形成した載置段部２０ｂ上に載置される溝蓋３０に代えて、または側溝ブロック２０上部に一体成形される図９等に示す溝蓋部３１間の載置段部２０ｂ上に載置されるものであり、両側壁２０ａ上端面と同一の上面を形成するものである。また、このグレーチング１０の少なくとも１つの側端部（図１では図示右方端部）は、図１〜図３に示すように、側溝ブロック２０の側壁２０ａに上方に開口するように形成した挿入口２１内に収納して載置されるものであり、これにより、このグレーチング１０は側溝ブロック２０上に支持されることになるものである。
【００１４】
このグレーチング１０の通水孔１２ａは、図１等に示したように、グレーチング１０の片方に形成されることが一般的であるが、例えば側溝ブロック２０が道路の中央に埋設されるようなものである場合には、図４に示すように、グレーチング１０の両側に形成されることもある。このようなグレーチング１０を載置するための側溝ブロック２０は、当然図５に示すように、両側壁２０ａに挿入口２１が形成されることになる。
【００１５】
グレーチング１０の端部が収納して載置されることになる挿入口２１は、側溝ブロック２０を製造する段階で予め形成されることもあるが、挿入口２１を有していない既設の側溝ブロック２０に対して、この挿入口２１を埋設現場で形成することもなされる。
【００１６】
この場合、挿入口２１となる二本の切れ込みを側溝ブロック２０の側壁２０ａに入れ、この切れ込みに刃物を入れてこじれば、二本の切れ込み間の部分は簡単に割れるため、挿入口２１は容易に形成できるものである。グレーチング１０の高さ調節は、挿入口２１内にモルタルを敷く等の方法で簡単に解決できる。
【００１７】
以上のように構成したグレーチング１０は、これを側溝ブロック２０上に載置すれば、図２に示すように、当該側溝ブロック２０の側方に形成した透水性舗装５０内の雨水等を、通水孔１２ａから側溝ブロック２０内の排水溝に導水することができて、透水性舗装５０上に水溜りを形成することがなくなるのである。
【００１８】
従って、この請求項１のグレーチング１０は、透水性舗装５０中の地中水４２を短時間内に側溝ブロック２０内に排水することができて、透水性舗装５０表面に水溜りを形成しないようにすることができ、水溜りによる問題を発生させることがないのである。
【００１９】
さらに、この請求項１に係る側溝ブロック用のグレーチング及びこれが使用される側溝用ブロックの側溝ブロック２０は、上記グレーチング１０が使用されることになるものであり、その両側壁２０ａの少なくとも一方に、グレーチング１０が上方から挿入されることになる挿入口２１を形成し、これら各挿入口２１の外側に通水孔２２ａを有する側蓋板２２を一体化したものである。
【００２０】
つまり、この側溝ブロック２０においては、例えば透水性舗装５０内の地中水４２を当該側溝ブロック２０の側方から導くための挿入口２１が形成してあり、この挿入口２１には、透水性舗装５０の施工時にその材料が側溝ブロック２０内にこぼれ落ちないようにするとともに、通水孔２２ａによって地中水４２を通すようにした側蓋板２２が一体化してあるのである。そして、この側溝ブロック２０は、その挿入口２１によって、端部に通水孔１２ａを有するグレーチング１０を収納して載置することができるものとなっているのであり、グレーチング１０を有効に利用することができるものとなるのである。
【００２１】
側溝ブロック２０の挿入口２１を外側から塞ぐことになる側蓋板２２は、透水性舗装５０を施行する前に挿入口２１の外側にコンクリート用スクリューや接着剤を利用して一体化してもよいが、側溝ブロック２０を成形する際に一体成形するようにすると有利である。その場合には、図３の（ｂ）に示すように、側蓋板２２の裏面側にモールドバー２２ｂを溶接しておいて、このモールドバー２２ｂを、図３の（ａ）に示すように、挿入口２１の周囲に位置することになる側壁２０ａ内にモールドするようにするとよい。
【００２２】
この請求項１の側溝ブロック２０は、上記の挿入口２１や側蓋板２２を有するのであれば、図５及び図１１に示すような所謂Ｕ字溝であって、溝蓋３０をその載置段部２０ｂ上に載置するタイプのもの、図９、図１０あるいは図１２に示すように、溝蓋部３１を側壁２０ａに一体化して逆Ｕ字状にしたタイプのいずれであっても構わない。また、この溝蓋部３１が、図１３に示すように傾斜する側溝ブロック２０であってもよく、その場合には、各挿入口２１、あるいはグレーチング１０は、その溝蓋部３１の傾斜と一致するようにすればよい。
【００２３】
また、各挿入口２１の外側を覆うことになる側蓋板２２については、図１〜図３等に示したような平らなものから、図１４に示すような箱型のものにして実施することができる。図１４の箱型の側蓋板２２は、側面壁の数を増加させることができるため、透水性舗装５０中の地中水４２を導水するための通水孔２２ａを多数形成することができて有利となり得る。
【００２４】
勿論、この請求項１の側溝ブロック２０において使用されている側蓋板２２について、当該側溝ブロック２０外、つまり透水性舗装５０中からの地中水４２の導水を可能にするための通水孔２２ａが必要であるが、この通水孔２２ａは、図３の（ｂ）に示したような単なる小孔であってもよいし、これに代わるものであってもよい。つまり、この通水孔２２ａは、透水性舗装５０を施行するときの材料が側溝ブロック２０内にこぼれ落ちないようにしながら、しかも地中水４２を側溝ブロック２０内に導くためのものであるから、例えば、図１９の（ｂ）に示すような網を当該側蓋板２２に形成した開口に張ったり、この開口を細い桟によって塞ぐように実施してもよいものである。
【００２５】
従って、この請求項１の側溝ブロック２０は、その挿入口２１に、通水孔１２ａを有するグレーチング１０の端部を収納して載置することができ、挿入口２１の外側に設けた側蓋板２２の各通水孔２２ａから透水性舗装５０内の地中水４２を通水孔１２ａ側に導水して当該側溝ブロック２０内に排水することができて、透水性舗装５０中の地中水４２の排水を良行に行え、透水性舗装５０の表面に種々な問題となる水溜りを形成しなくなるのである。
【００２６】
さて、上記課題を解決するために、請求項５に係る発明の採った手段は、
「複数のベアリングプレートまたはベアリングバー１２を所定の隙間をおいて外枠１１に一体化することにより構成されて、溝蓋３０または溝蓋部３１の一部に代えて側溝ブロック２０上に載置することにより、当該側溝ブロック２０内に地表水４１を各隙間から導水するようにしたグレーチング１０であって、
このグレーチング１０の長さを、側溝ブロック２０の両側壁２０ａいずれか少なくとも一方の上部を切欠くように形成した挿入口２１内にも載置し得るものとし、
この挿入口２１側になる外枠１１の側方部分に、当該挿入口２１よりも大きく、かつ側溝ブロック２０側の側壁の外面に当接することになる側蓋板１４を形成するとともに、この側蓋板１４に側溝ブロック２０の外側になる地中からの導水を可能にする通水孔１４ａを形成したことを特徴とする側溝ブロック用のグレーチング１０」
である。
【００２７】
すなわち、この請求項５のグレーチング１０は、図１６等に示すように、そのいずれか少なくとも一方の端部に、通水孔１４ａや通水長穴１４ｂ等を形成した側蓋板１４を一体的に設けたものであり、この側蓋板１４を介して側溝ブロック２０外の地中水４２を側溝ブロック２０内に導くようにしたものである。つまり、この請求項５に係るグレーチング１０は、側溝ブロック２０側の挿入口２１に側蓋板２２を設ける必要性をなくしたものであるとともに、既設の側溝ブロック２０に形成した挿入口２１内、あるいは挿入口２１を有したものとして予め新規に製造した側溝ブロック２０の挿入口２１内にそのまま収納して載置すれば、目的とする地中水４２の側溝ブロック２０内への導水を行えるようにするものである。
【００２８】
この請求項５のグレーチング１０も、図１６に示すように、埋設された側溝ブロック２０に予め形成してあった挿入口２１、あるいは既設の側溝ブロック２０の側壁２０ａの所定位置に形成した挿入口２１内に収納して載置されるものであり、その側蓋板１４が各挿入口２１の外側面を覆うものである。このグレーチング１０が縁石ブロック６０に近接した部分に埋設された側溝ブロック２０に対して適用されるものである場合には、側蓋板１４は、図１６〜図１８に示すように、縁石ブロック６０とは反対側となる面に１つだけ設けられるものであるが、例えば道路の中央棟に埋設される側溝ブロック２０に適用するものである場合には、図２２及び図２３に示すように、グレーチング１０の両側に設けられるものである。
【００２９】
このグレーチング１０に一体化される側蓋板１４は、図２０及び図２１に示すように、側溝ブロック２０側の挿入口２１内にスッポリ入る程度の大きさのものも考えられるが、本請求項５記載の発明は、図１８及び図１９に示すように、挿入口２１よりも大きなものとして、その大きくなった部分を、側溝ブロック２０側の側壁２０ａの外面に当接することになる当接部１４ｄとするように実施する。この当接部１４ｄを有した側蓋板１４の場合は、この当接部１４ｄを側壁２０ａの外面に当接させることにより、当該グレーチング１０の側溝ブロック２０に対する位置決めを簡単に行えるだけでなく、透水性舗装５０を施行する場合の材料が側溝ブロック２０内にこぼれ落ちるのをこの当接部１４ｄによって防止できて有利である。
【００３０】
また、この側蓋板１４は、側溝ブロック２０外からの地中水４２の導水を行うための通水孔１４ａを有しているものであるが、この通水孔１４ａは、図１９の（ａ）等において示したような単なる孔であってもよく、また図１９の（ｂ）に示すように、網１４ｃや桟等によって形成したものであってもよいことは、前述した側溝ブロック２０側における側蓋板２２の場合と同様である。しかも、この側蓋板１４は、通水長穴であってもよいことは言うまでもない。
【００３１】
以上のように構成した請求項５に係るグレーチング１０は、そのいずれか少なくとも一方に設けた側蓋板１４が、施行される透水性舗装５０になるようにして側溝ブロック２０上に載置及び収納すると、図１６に示すように、側溝ブロック２０側の挿入口２１は側蓋板１４によって完全に覆われる。その後に、透水性舗装５０を施行し、当該グレーチング１０の両側に溝蓋３０を嵌めれば、図１７に示すような状態となる。これにより、透水性舗装５０中の地中水４２は、図１７中の矢印にて示すように、側蓋板１４の通水孔１４ａ、通水長穴１４ｂ、あるいは網１４ｃを通して側溝ブロック２０の排水溝内に導水されるのである。
【００３２】
従って、この請求項５のグレーチング１０は、側溝ブロック２０に対しては挿入口２１の加工のみを要求するものであり、この挿入口２１内に収納するという作業のみでその施行を簡単に行え、そして、当初問題としていた地中水４２の側溝ブロック２０内への導水を確実に行うことができるのである。
【００３３】
このときに使用される側溝ブロック２０は、排水溝を構成する両側壁２０ａの上部に、溝蓋３０の形成または載置溝蓋及びグレーチング１０の載置を行うことにより、路面または歩道面と同一面を形成しながら主としてグレーチング１０から地表水４１を排水溝内に導水するようにした側溝用ブロック２０であって、
両側壁２０ａのいずれか少なくとも一方に、グレーチング１０の側端部が載置されるべき挿入口２１を形成し、
この挿入口２１内に載置して収納されるグレーチング１０に設けた側蓋板１４の通水口１４ａから、当該側溝ブロック２０の外側になる地中からの内部への導水を行えるようにしたことを特徴とする側溝用ブロック２０である。
【００３４】
すなわち、この側溝ブロック２０は、図１８あるいは図２２に示すように、請求項１に係る側溝ブロック２０とは異なって、その挿入口２１に側蓋板２２を有していないものである。
【００３５】
従って、この側溝ブロック２０は、請求項５に係るグレーチング１０を適用するのに適したものであり、透水性舗装５０中の地中水４２の内部への導水を確実に行え、透水性舗装５０上に雨水が溜まるのを防止できるものとなっているのである。
【００３６】
さて、前述した課題を解決するために、請求項２または請求項６に係る発明の採った手段は、上記請求項１または請求項５のグレーチング１０について、
「側蓋３０の一部が載置されることになる押え台１５を下面に一体化した」ことである。
【００３７】
すなわち、この請求項２または請求項６に係るグレーチング１０は、これを側溝ブロック２０に対して載置した場合において、その固定を溝蓋３０の重量を利用して行うようにしたものであり、そのために、溝蓋３０が載置されることになる押え台１５を下面に一体化したものである。この押え台１５は、図１あるいは図１６に示すように、グレーチング１０の外枠１１の外方に突出するものであり、その上面は側溝ブロック２０側の側壁２０ａ内側に形成してある載置段部２０ｂの上面と同一面となるようにしてある。
【００３８】
従って、この請求項２または請求項６に係るグレーチング１０は、これを側溝ブロック２０上の所定位置に載置してから、例えば図１６に示すように、当該グレーチング１０に密着するように溝蓋３０を載置すれば、この溝蓋３０の重量が押え台１５を介してグレーチング１０に掛かることになって、側溝ブロック２０上に安定的かつ簡単に外れることなく載置されることになるのである。勿論、この請求項５のグレーチング１０は、図９、図１０、図１２あるいは図１３に示すような溝蓋部３１を一体的に形成したものであっても、グレーチング１０の周囲に溝蓋３０が載置されるものであれば適用できることは言うまでもない。
【００３９】
上記課題を解決するために、請求項７に係る発明の採った手段は、側蓋板１４を有したグレーチング１０または側溝ブロック２０について、
「側蓋板１４又は側蓋板２２の上端に上方切欠１７を形成して、この上方切欠１７から側溝ブロック２０の外側からの導水を行えるようにしたこと」
である。
【００４０】
すなわち、この請求項７のグレーチング１０は、従来の技術の項で示した(4)の要望に応えるようにしたものであり、図１９、図２４、図２６、及び図２８等に示したように、前述した通水孔１４ａや通水長穴１４ｂ等とは全く別に、側蓋板１４の上端に上方切欠１７を積極的に形成したものである。勿論、当該側蓋板１４の上方切欠１７以外の上端面は、当該グレーチング１０の上端面と同一となるものである。
【００４１】
以上のような上方切欠１７が側蓋板１４に形成してあると、例えば図２８に示すように、グレーチング１０に近接する透水性舗装５０の一部が踏み固められて下がり、これによって図２８中に示した凹み５１が発生したとしても、この凹み５１は各上方切欠１７を介してグレーチング１０内に連通することになる。このため、仮に凹み５１内に雨水が溜まろうとしても、この雨水は側蓋板１４の各上方切欠１７を通してグレーチング１０内に流れ込むことになり、凹み５１内に溜まることはなくなるのである。
【００４２】
以上のことは、このような側蓋板１４と同様な側蓋板２２を有する請求項１の側溝ブロック２０について、その側蓋板２２の上端に上方切欠２４を形成した場合も言えるのであり、これが請求項３に係る側溝ブロック２０なのである。
【００４３】
すなわち、請求項３に係る発明の採った手段は、請求項１に係る側溝ブロック２０について、
「側蓋板２２の上端に上方切欠２４を形成して、この上方切欠２４から当該側溝ブロック２０の外側からの導水を行えるようにしたこと」
であり、これにより、側蓋板２２の上方切欠２４から凹み５１内に溜まろうとする地表水４１等を側溝ブロック２０内に確実に導水し得るのである。
【００４４】
一方、上記課題を解決するために、請求項４に係る発明の採った手段は、請求項１から３のいずれかの側溝ブロック２０について、
「側壁内２０ａにて挿入口２１に連続するシュータ面２３を形成して、このシュータ面２３により通水孔１２ａまたは２２ａからの導水を排水溝内に案内するようにしたこと」である。
【００４５】
すなわち、この請求項４の側溝ブロック２０は、図１１〜図１３に示すように、各挿入口２１に連続するシュータ面２３を各側壁２０ａの内側に形成したものであり、このシュータ面２３によって地中水４２の側溝ブロック２０内への流下がより確実になるようにしたものである。
【００４６】
従って、挿入口２１に連続するシュータ面２３を有した側溝ブロック２０では、仮にグレーチング１０内に落葉等が詰まったとしても地中水４２の内方への流下を確実に行えるだけでなく、側壁２０ａの載置段部２０ｂ上に地中水４２とともに入ってくる土砂の推積を防止することもできるものである。
【００４７】
【発明の実施の形態】
次に、以上のように構成した各発明を、図面に示した実施の形態であるグレーチング１０及び側溝ブロック２０について説明するが、各実施形態のグレーチング１０及び側溝ブロック２０は、上記各発明を実質的に含むものであるため、以下では、この実施形態に係るグレーチング１０及び側溝ブロック２０をそれぞれ説明していくこととする。
【００４８】
図１には、本発明に係るグレーチング１０を、これに対応する側溝ブロック２０に載置しようとしている状態が示してある。
【００４９】
図１に示したグレーチング１０は、外形を構成することになる外枠１１内に、複数のベアリングプレート１２を平行に配列して、これらのベアリングプレート１２をねじり棒１３を利用して両外枠１１間に一体化したものであり、その上下両面及び図示左端部は開放されたものとなっている。つまりこのグレーチング１０の図示右端面には通水孔１２ａが形成してあり、上下が開放されていることにより、降った雨水が直接、あるいは他から流れてきた地表水４１が各ベアリングプレート１２間の隙間から流下し得るものとなっている。なお、実施形態のものとして例示した各ベアリングプレート１２は、これをベアリングバーとして実施してもよいものである。
【００５０】
また、図１に示したグレーチング１０は、その下面に一体化した押え台１５を有したものであるが、この押え台１５は外枠１１の外方に突出するものである。この押え台１５の突出した部分は、例えば図１６に示したように、側溝ブロック２０側の載置段部２０ｂの内側に位置するものであって、その上面は載置段部２０ｂの上面と一致することになるものである。そして、この押え台１５上には溝蓋３０の一部が載置されるのであり、これにより、載置したグレーチング１０の側溝ブロック２０に対する固定がなされるのである。
【００５１】
一方、以上のように構成したグレーチング１０が使用される側溝ブロック２０は、図１にも示したように、その側壁２０ａの一部に挿入口２１を形成したものであり、この挿入口２１の外面は側蓋板２２によって覆われるものである。
【００５２】
挿入口２１は、側溝ブロック２０をコンクリートによって成形する際に形成されるのが一般的ではあるが、既設の側溝ブロック２０については、施工場所でダイヤモンドカッターを利用すれば簡単に形成できるものである。
【００５３】
この挿入口２１を覆うための側蓋板２２は、透水性舗装５０等を施行する際の、砕石等の材料が側溝ブロック２０内に落下しないようにするとともに、透水性舗装５０側からの地中水４２の側溝ブロック２０内への導水を可能にするものであるから、図３に示すようなものにするのが最も簡単である。すなわち、図３の（ｂ）に示すように、この側蓋板２２の挿入口２１に対応する部分に、ドリル等によって通水孔２２ａを多数穴開けしておき、この側蓋板２２の裏面側にモールドバー２２ｂを溶接等の手段によって一体化しておく。このモールドバー２２ｂを図３の（ａ）に示したように、側溝ブロック２０をコンクリートで成形する際にモールドするようにすれば、側蓋板２２の側壁２０ａに対する取付けを簡単かつ確実に行える。
【００５４】
また、この側蓋板２２に対しては、図３の（ｂ）中に仮想線にて示したように、その上端縁に上方切欠２４を形成するようにするとよい。これら各側溝ブロック２０は、当該側溝ブロック２０外の透水性舗装５０等が下がったときにできる図２８に示した凹み５１内の雨水を側溝ブロック２０内に流下させることができるからである。また、側蓋板２２に形成した各通水孔２２ａは、後述するグレーチング１０側の側蓋板１４におけるように、通水長穴１４ｂとしたり、網１４ｃによって形成したりすることも可能である。
【００５５】
また、図１に示したグレーチング１０では、図示右端面にのみ通水孔１２ａを形成しているが、この通水孔１２ａは、図４に示したように、グレーチング１０の両側に形成して実施してもよいものである。その場合には、当該グレーチング１０が載置されることになる側溝ブロック２０は、図５に示したように、両側壁２０ａに挿入口２１及び側蓋板２２を形成することになる。
【００５６】
図３及び図４に示したグレーチング１０では、その外枠１１や内部のベアリングプレート１２によって必要な高さを確保しているが、必要な高さは載置台１６を使用して確保するようにしてもよく、それが図６及び図７に示してある。これらのグレーチング１０では、図８にも示したように、側溝ブロック２０側の載置段部２０ｂ上に載置されることになる載置台１６を、外枠１１及びベアリングプレート１２の下面に一体化したものであり、この載置台１６に前述した押え台１５が溶接してある。なお、図６及び図７に示したグレーチング１０は、図８に示したそれと各外枠１１及びベアリングプレート１２の長さにおいて異なるが、これは側溝ブロック２０側の挿入口２１や載置段部２０ｂの位置に合わせて調整すればよいことを示している。
【００５７】
ところで、本発明に係る側溝ブロック２０は、図１に示したような溝蓋３０のみを使用するものだけを対象とするものではなく、図９に示すような、上面に溝蓋部３１を一体化した逆Ｕ字状のものも対象としているものであり、この場合には、グレーチング１０が載置される部分の近傍に溝蓋３０が置けるだけのスペースを有し、かつ溝蓋３０のための載置段部２０ｂを有している側溝ブロック２０となるものである。このような側溝ブロック２０について、図９に示したような片方の側壁２０ａにのみ挿入口２１及び側蓋板２２を有しているものも、図１０に示したような両方の側壁２０ａに挿入口２１及び側蓋板２２を有しているものも対象として加えられる。勿論、図１１に示したように、両方の側壁２０ａに挿入口２１及び側蓋板２２を有して、しかも溝蓋３０のみによって蓋がされる側溝ブロック２０も対象となる。
【００５８】
図１２には、側壁２０ａと一体化される溝蓋部３１を有した側溝ブロック２０が示してあるが、この側溝ブロック２０が今まで述べてきたものと異なる点は、その側壁２０ａの内側であって挿入口２１の直下となる部分にシュータ面２３を有していることである。図１３の側溝ブロック２０もこのようなシュータ面２３を有するものではあるが、その溝蓋部３１が図示手前側に傾斜させてある点が異なっているものである。
【００５９】
さて、以上述べてきた側溝ブロック２０の挿入口２１を覆う側蓋板２２については、全て平らなものを例示してきたが、この側蓋板２２は他の形状のものとして実施してもよい。その一例が図１４及び図１５に示してある。これらの図に示した側蓋板２２は、言わば箱型に形成したものであって、グレーチング１０側の端部を包み込めるようにしているものである。このようにすれば、その側面の面積を透水性舗装５０の厚さの範囲内で大きくすることができ、より一層多くの通水孔２２ａを形成することができるから、これらの数多い通水孔２２ａによって、透水性舗装５０中の地中水４２の側溝ブロック２０内への導水をより一層確実に行えることになるものである。
【００６０】
さて、以上の側溝ブロック２０側に設けた側蓋板２２は、これをグレーチング１０側に設けて、この側蓋板２２を省略するようにすれば、側溝ブロック２０側の側蓋板２２の取付作業は不要となることは言うまでもない。そのようにしたのが、請求項５のグレーチング１０であって、これらは、図１６に示してある。
【００６１】
すなわちち、まず図１６に示したグレーチング１０は、図１７〜図１９に示したように、グレーチング１０の少なくともいずれか一方の端部に溶接等の手段によって側蓋板１４を取付けたものであり、この側蓋板１４には、図１９の（ａ）に示したような穴開け加工した通水孔１４ａ、あるいは図１９の（ｂ）に示したような網１４ｃによって当該グレーチング１０内に導水し得るようにしたものである。勿論、このような側蓋板１４を有するグレーチング１０に対しては、図１８に示したように、側溝ブロック２０には挿入口２１のみを形成するだけで側蓋板２２を設ける必要はない。
【００６２】
なお、この側蓋板１４は、その上端縁に複数の上方切欠１７を形成しておいて、当該グレーチング１０の外側に位置する透水性舗装５０上に、図２８に示した凹み５１が形成された場合の、この凹み５１内からの導水を各上方切欠１７によって行えるようにしたものである。また、これらの図１６〜図１９に示したグレーチング１０について、その下面に前述した押え台１５を一体化することがあるのは、前述した通りであり、この押え台１５上に載置される溝蓋３０によって、当該グレーチング１０の側溝ブロック２０上に対する固定が行われるものである。
【００６３】
図１９に示した側蓋板１４においては、その横幅を側溝ブロック２０側の挿入口２１よりも大きくすることによって、当接部１４ｄを有したものとしてある。この当接部１４ｄは、当該グレーチング１０を側溝ブロック２０上に載置するときに、挿入口２１が形成してある側壁２０ａの外面に当接することになるものであり、グレーチング１０の側溝ブロック２０に対する位置決めを良好に行えるようにするとともに、挿入口２１の外からの覆いを完全なものとするものである。
【００６４】
また、この側蓋板１４は、グレーチング１０の一方の端部だけでなく、図２２に示したように、両端部に一体的に設けるように実施してもよいものである。この場合には、図２３にも示したように、両側にある透水性舗装５０中の地中水４２の側溝ブロック２０内の導水を行えるものとなることは言うまでもない。
【００６５】
さて、側蓋板１４を有するグレーチング１０は、参考例として示してある図２４に示したように、その各外枠１１やベアリングプレート１２を上下方向に対して幅狭まなものとして実施してもよく、むしろこの場合にはベアリングプレート１２ではなくベアリングバーとなるものである。このようなグレーチング１０が、側溝ブロック２０側の載置段部２０ｂ上に載置するものとして高さが不足するのであれば、その下面に図２４及び図２５に示したような載置台１６を一体化するか、図２６及び図２７に示したような持上部１８を一体化するようにすればよい。
【００６６】
以上のような載置台１６や持上部１８について、さらに押え台１５を有するようにするには、載置台１６に対しては図６〜図８に示したように、持上部１８については、図２６及び図２７に示したように、持上部１８の下端部が押え台１５となるようにすればよい。
【００６７】
【発明の効果】
以上詳述した通り、まず請求項１に係る側溝ブロック用のグレーチング及びこれが使用される側溝用ブロックは、側溝ブロック２０に設けてある挿入口２１内に収納され、かつ側溝ブロック２０の載置段部２０ｂ上にも載置されることになるものであって、その挿入口２１に対応する端部に通水孔１２ａを形成したことにその特徴があり、これにより、既設の側溝ブロック２０であっても挿入口２１を有しているものであれば、これに簡単に収納して載置することができることは当然として、その通水孔１２ａから透水性舗装５０中の地中水４２の側溝ブロック２０内への導水を確実に行うことができて、透水性舗装５０上に雨水による水溜りを形成することがないのである。
【００６８】
また、側溝ブロック２０は、設置場所で切り出すか、成形時に型成形するかは別にして、上記グレーチング１０の端部を収納して載置できるような挿入口２１を形成するとともに、この挿入口２１の外面側に通水孔２２ａを形成した側蓋板２２を設けたことにその構成上の特徴があり、これにより、上記請求項１のグレーチング１０を載置して支持することができるだけでなく、透水性舗装５０中の地中水４２を確実に内部に導水することができて、透水性舗装５０表面に水溜りが形成されるのをなくすことができるのである。
【００６９】
また、請求項５に係るグレーチング１０は、前述の請求項１のグレーチング１０と同様に、側溝ブロック２０に設けてある挿入口２１内に収納されて載置段部２０ｂ上に載置されるものであるが、挿入口２１側の端部に通水孔１４ａ等を有する側蓋板１４を一体化したことにその構成上の特徴があり、これにより、側溝ブロック２０側の挿入口２１に側蓋板２２を設ける必要性を無くすことができるだけでなく、側溝ブロック２０に対する載置を簡単に行うことができるのである。そして、この請求項３のグレーチング１０は、透水性舗装５０中の地中水４２のみを各通水孔１４ａ等を通して側溝ブロック２０内に導くことができるのであり、透水性舗装５０の表面上に水溜りを形成することがないのである。
【００７０】
この請求項５のグレーチング１０は、側溝ブロック２０上に載置されるものであるが、この側溝ブロック２０は、そのいずれか少なくとも一方の側壁２０ａに挿入口２１のみを形成すればよく、上記グレーチング１０が載置されれば、透水性舗装５０中の地中水４２の側溝ブロック２０内への導水を確実に行うことができるのである。
【００７１】
さらに、請求項２または６に係るグレーチング１０は、請求項１または５のグレーチング１０について、その下面に押え台１５を一体的に形成して、この押え台１５上の溝蓋３０を載置したとき、この押え台１５の重量によって側溝ブロック２０上に対する固定を行えるようにしたことに特徴があり、これにより、上記請求項１または５と同様な効果を発揮する他、設置後の安定化を押え台１５によって図ることができるものである。
【００７２】
以上のグレーチング１０においては、そのいずれか少なくとも一方の端部に側蓋板１４を設けて、この側蓋板１４上に上方切欠１７を形成すると、次の効果を発生することになるが、これが請求項７に係るグレーチング１０である。すなわち、このグレーチング１０によれば、請求項５または６のグレーチング１０と同様な効果を発揮する他、側溝ブロック２０に近接した透水性舗装５０上に凹み５１が形成された場合に、この凹み５１内に溜まろうとする地表水４１を各上方切欠１７からグレーチング１０を通して側溝ブロック２０内に導水することもできるのである。
【００７３】
この請求項７のグレーチング１０における上方切欠１７による効果は、請求項３に係る側溝ブロック２０についても同様に言えるものである。請求項３の側溝ブロック２０は、その挿入口２１の外側に設けられる側蓋板２２の上縁に上方切欠２４を設けるようにしているからである。
【００７４】
そして、請求項４に係る側溝ブロック２０は、請求項１から３のそれについて、その側壁２０ａの内側に挿入口２１に連続するシュータ面２３を形成したことにその構成上の特徴があり、これにより、請求項２または４の側溝ブロック２０と同様な効果を発揮する他、透水性舗装５０中の地中水４２の側溝ブロック２０内の導水を確実にすることができるのである。
【図面の簡単な説明】
【図１】本発明に係るグレーチングを、本発明に係る側溝ブロック上に載置使用としている状態を示す斜視図である。
【図２】図１にしめしたグレーチングを側溝ブロック上に施行した後に透水性舗装を施行したときの断面図である。
【図３】図１に示した側溝ブロックにおいて使用されている側蓋板を示すもので、（ａ）は側溝ブロック側に一体化したときの部分横断面図、（ｂ）はこの側蓋板の拡大斜視図である。
【図４】図１に示したグレーチングについてさらにもう一方にも通水孔を形成したものを示す斜視図である。
【図５】図１に示した側溝ブロックの他の実施例を示す斜視図である。
【図６】図１に示したグレーチングの他の実施例を示す斜視図である。
【図７】図１に示したさらに他の実施例を示す斜視図である。
【図８】図６に示したグレーチングを側溝ブロック上に載置した部分拡大縦断面図である。
【図９】側溝ブロックの逆Ｕ字状にした実施例の斜視図である。
【図１０】側溝ブロックの逆Ｕ字状にした別の実施例の斜視図である。
【図１１】側壁の内側にシュータ面を形成した側溝ブロックの斜視図である。
【図１２】側壁の内側にシュータ面を形成した逆Ｕ字状の側溝ブロックの斜視図である。
【図１３】側壁の内側にシュータ面を形成した逆Ｕ字状の別の側溝ブロックの斜視図である。
【図１４】箱型の側蓋板を使用した側溝ブロックとこれに使用されるグレーチングとを分解して示した斜視図である。
【図１５】図１４に示したグレーチングと側溝ブロックとを施工した後の部分拡大断面図である。
【図１６】側蓋板１４を有するグレーチングとこれが使用される側溝ブロックとを示す部分破断斜視図である。
【図１７】図１６の施工後の状態を示す部分拡大縦断面図である。
【図１８】図１６に示したグレーチングを側溝ブロック上に載置しようとしている状態を示す斜視図である。
【図１９】図１８のグレーチングを示すもので、（ａ）はその拡大斜視図、（ｂ）は通水孔に代えて網を使用したグレーチングの拡大斜視図である。
【図２０】側蓋板の大きさを変えたグレーチングを側溝ブロック上に載置しようとしている状態を示す斜視図である。
【図２１】図２０に示した側蓋板の大きさを変えたグレーチングの斜視図である。
【図２２】両側に側蓋板を有したグレーチングと、これが適用される側溝ブロックとを示した斜視図である。
【図２３】図２２のグレーチングと側溝ブロックとを施工したときの部分拡大縦断面図である。
【図２４】グレーチングの他の実施例を示すもので、通水孔に代えた通水長穴と、載置台とを設けた例を示す斜視図である。
【図２５】図２４のグレーチングを、その側溝ブロックとともに施工した状態を示す部分拡大縦断面図である。
【図２６】下端に押え台を一体化した持上部を設けたグレーチングを示す斜視図である。
【図２７】図２６のグレーチングを施工した状態を示す部分拡大縦断面図である。
【図２８】側溝ブロックに近接する透水性舗装上に形成された凹みと、グレーチングや側溝ブロックの上方切欠との関係を示す縦断側面図である。
【符号の説明】
１０    グレーチング
１１    外枠
１２    ベアリングプレート
１２ａ  通水孔
１３    ねじり棒
１４    側蓋板
１４ａ  通水孔
１４ｂ  通水長穴
１４ｃ  網
１４ｄ  当接部
１５    押え台
１６    載置台
１７    上方切欠
１８    持上部
２０    側溝ブロック
２０ａ  側壁
２０ｂ  載置段部
２１    挿入口
２２    側蓋板
２２ａ  通水孔
２２ｂ  モールドバー
２３    シュータ面
２４    上方切欠
３０    溝蓋
３１    溝蓋部
４１    地表水
４２    地中水
５０    透水性舗装
５１    凹み
６０    縁石ブロック
【図１】
0003605723.tif 000002
【図２】
0003605723.tif 000003
【図３】
0003605723.tif 000004
【図４】
0003605723.tif 000005
【図５】
0003605723.tif 000006
【図６】
0003605723.tif 000007
【図７】
0003605723.tif 000008
【図８】
0003605723.tif 000009
【図９】
0003605723.tif 000010
【図１０】
0003605723.tif 000011
【図１１】
0003605723.tif 000012
【図１２】
0003605723.tif 000013
【図１３】
0003605723.tif 000014
【図１４】
0003605723.tif 000015
【図１５】
0003605723.tif 000016
【図１６】
0003605723.tif 000017
【図１７】
0003605723.tif 000018
【図１８】
0003605723.tif 000019
【図１９】
0003605723.tif 000020
【図２０】
0003605723.tif 000021
【図２１】
0003605723.tif 000022
【図２２】
0003605723.tif 000023
【図２３】
0003605723.tif 000024
【図２４】
0003605723.tif 000025
【図２５】
0003605723.tif 000026
【図２６】
0003605723.tif 000027
【図２７】
0003605723.tif 000028
【図２８】
0003605723.tif 000029